(57)【要約】      （修正有）【課題】インクカートリッジを構成するインク室がインク室と区分されてインク室内中にインク吸収材が充填された気液交換室を備えたインクカートリッジに、例えばインク残検用のプリズムを設けてインク容器内のインク残量を管理する場合、釣鐘状インクが形成するという問題を解決し、気液分離室の機能やプリズムの機能を損なわないインクカートリッジを提供する。【解決手段】大気連通孔２と、インクを収納するインク室４と、インク供給口３を備えており前記インク室と区分されてインク吸収材が充填された気液交換室８を備えたインクカートリッジ１であって、前記気液交換室の底部開口部１３に対して近接する部材が前記底部開口部との間にインクの表面張力でインクが釣鐘状に引き上げられる釣鐘状インクが形成されない距離に位置することを特徴とするインクカートリッジ１。【選択図】図１
0003186069.tif 000002
【実用新案登録請求の範囲】
【請求項１】
大気連通孔と、インクを収納するインク室と、インク供給口を備えており前記インク室と区分されてインク吸収材が充填された気液交換室を備えたインクカートリッジであって、前記気液交換室の底部開口部に対して近接する部材が前記底部開口部との間にインクの表面張力でインクが釣鐘状に引き上げられる釣鐘状インクが形成されない距離に位置することを特徴とするインクカートリッジ。
【請求項２】
前記近接する部材がインク残量を検知するプリズムであることを特徴とする請求項１に記載のインクカートリッジ。
【請求項３】
前記近接する部材がインク室底面又はインク室側壁であることを特徴とする請求項１に記載のインクカートリッジ。
【請求項４】
前記近接する部材が区画室壁であることを特徴とする請求項１または２に記載のインクカートリッジ。
【請求項５】
前記インクカートリッジが前記インク室と区分されたインクを収容する区分室をさらに備えていることを特徴とする請求項１ないし４のいずれかに記載のインクカートリッジ。
【考案の詳細な説明】
【技術分野】
【０００１】
本考案は、インクジェットプリンタに搭載されるインクカートリッジに関し、さらに詳しくは、インクカートリッジを構成するインク室がインク室と区分されてインク室内中にインク吸収材が充填された気液交換室を備えたインクカートリッジに関する。      
【背景技術】
【０００２】
一般に、近年の印刷装置の一例として主流であるインクジェット式プリンタは、通常、装置内のカートリッジ装着部に装着されたインクカートリッジに貯留されているインクを記録ヘッドへ供給可能な状態で保持し、この記録ヘッドが用紙等の被記録媒体にインク滴を噴射することで、画像や文字の記録を行うとともに、インクカートリッジからインクを供給せしめる。インクジェット式プリンタにおける記録ヘッドは、熱や振動を利用してインク滴の噴射を制御するもので、インクカートリッジがインク切れになり、インクが供給されない状態でインク吐出動作を行う空打ちが発生すると、故障する可能性がある。
【０００３】
そこで、インクジェット式プリンタでは、記録ヘッドが空打ちをしないように、インクカートリッジにおけるインク残量を監視するために、例えば、インク容器内の底部に設けたプリズムに対しプリンタ側の発光部から光を照射し、インクレベルが下がると照射した光がプリズムによって屈折され、その光をプリンタ側の受光部が受光することによってインク容器内のインク残量が少なくなったことを検知し、（即ちプリズムの表面にインクがなくなると照射した光が、屈折する機構を利用してインク残量を検知する。）ユーザーにインクカートリッジの交換を促すことが行われている。（例えば特許文献１）
【０００４】
しかしながら、インク容器内に収納されているインクの種類によってはインク残量が低下し本来はインク容器を交換しなければならない状態にあっても、プリズムの表面にインクが残存しインクがなくなったことを検知できないといういわゆるインク残量検知の誤動作が発生することがあり、この誤動作を改善するために、プリズムの表面やインク容器の側壁面などにインク滴の付着を防ぐ撥水処理を施したり、インクの表面エネルギーを低下させる表面処理剤を塗布する技術が提案されている。（例えば特許文献１）
【０００５】
また、プリズムの表面に付着したインク滴や泡を強制的に除去するためのインク滴除去板をインク容器内に設けてこのインク滴除去板を振り子状に動かしてインク滴などを拭き取る技術が提案されている。（例えば特許文献２）
【０００６】
また、従来から、地球環境の改善に配慮して廃棄物の削減が叫ばれているが、プリンタメーカは提供するインクカートリッジの機能を優先するために、リフィル可能なインクカートリッジをユーザーには提供していない。インクカートリッジのインク充填（再充填）に関して市場の要求から、一回だけ使用して廃棄するのではなく、インクを再充填して再度利用するインク再充填方式が多く提案され、実用化もされている。その１つには、充填インクを収納した蛇腹式インク容器の先端にある金属製注射針をインクカートリッジ収容部に開けた穴に刺し込み、この蛇腹式インク容器を徐々につぶすことで加圧してインクを再充填する形態や注射器型インク充填容器でインクを加圧再充填する形態が知られている。（例えば特許文献３）
【０００７】
また、特許文献４の段落[００１０]には、「…、前記液体収容体に対する液体の充填は加圧充填により行われても良い。この場合には、充填処理に要する時間を短縮することができる。…」と記載されているが、加圧充填のみ（すなわち、自然充填は困難である区分室）で充填されるインク供給室は開示されていない。また段落[００１４]には、「…、液体が充填された前記液体容器の前記液体供給口から、充填された液体の一部を排出させても良い。…」と記載され、更に段落[００２２]には、「本実施例に係るインクカートリッジ１０は、筐体２０、蓋体２５、インク収容体３０、インク量センサ４０を備えている。…また、インク収容体３０は液体収容体に、インク量センサ４０は液量検出器に相当する。」続いて段落[００２３]には「…筐体２０は、外観が略直方体形状をなし、２つの独立したインク収容室２０ａおよびセンサ収容室２０ｂを有している。各収容室２０ａ、２０ｂは、壁面部２０ｃによって区画形成されており、…」と記載され、図１を参照すると、インク収容体３０とインク残量センサ４０は、二つに独立して区画形成されたインク収容室２０ａとセンサ収容室２０ｂを備えたインクカートリッジのインク供給口から加圧充填し、該インク供給口からインクを外部へ供給（排出）するインクカートリッジが開示されている。
【０００８】
また、インクカートリッジ内に、インク吸収材が保持されたインク保持室の上部に気体は通すがインクは通さない気液分離部材を備えたインクカートリッジが開示されている。（例えば特許文献５）この特許文献５は、インクを吸収保持可能なインク保持体を内部に備えるとともに、内部に収容したインクを外部に供給するための供給口を有し、吸引口から内部に導入した負圧によって、取入れ口から内部にインクを取入れ可能なインクタンクであって、前記吸引口に、インクは通さずに気体を通す気液分離手段を備えており、前記取入れ口から取入れたインクは、前記インク保持体に保持されつつ、前記気液分離手段に到達する前に供給口に到達するようにしてインクが充填されることが開示されている。そして、段落[００７７]には、「・・・インク吐出口にインクのメニスカスが正常に形成されているときは、同図のようにインク補給のための接続をする（ステップＳ８）。吸引ジョイント２０２を通して保留インクタンク２０を吸引して、インク取入れ口２０ｂから貯留インクタンク２０内にインクを補給する。」と記載され、また、段落[００７８]には、「・・・インク吐出口にインクのメニスカスが正常に形成されていないときは、同図のように、供給ジョイント２０１とキャップ部材３８ａをセットすると共に、吸引口５３ｂをキャップ部材２０３によって閉塞する。その後、・・・キャップ部材３８ａ内を吸引し（ステップＳ５）、インク取入れ口２０ｂから貯留インクタンク２０および記録ヘッド２０ａ内にインクを導入して、インク吐出口にインクのメニスカスを形成する。」と記載されているように、インク吐出口にメニスカスが形成されている場合と形成されていない場合の減圧下によって行うインクの充填方法が開示されている。
【先行技術文献】
【特許文献】
【０００９】
【特許文献１】特開２０００−１９８２２２号公報
【特許文献２】特開２００３−３３４９７１号公報
【特許文献３】特開平０８−８−１９５９号公報
【特許文献４】特開２００９−６６７９１号公報
【特許文献５】特許第３３４７６８８号公報
【考案の概要】
【考案が解決しようとする課題】
【００１０】
しかし、上記特許文献1及び２に開示されているプリズムを用いたインク残量検知の誤動作防止は、インク容器内に単にプリズムを備えた場合のプリズム表面にインク滴や泡が付着することに対する誤動作防止対策であり、インク室がインク室と区分されてインク室内中にインク吸収材が充填された気液交換室を備えた場合、あるいはインク室と区分されたインクを収容する区分室をさらに備えた場合については何ら開示も示唆もない。気液交換室の下部に例えばインク残検用のプリズムやインク室と区分されたインク区分室などの近接部材を備えたインクカートリッジについて鋭意研究した結果、上述したような単なるインク滴や泡が付着することによる理由だけでは解決できないメカニズム、即ち、気液交換室の下部と上述した近接部材とによって形成される釣鐘状インクが気液交換室の機能を阻害し、また形成される釣鐘状インクがプリズム本来の機能を阻害するということを見出し、本考案の完成に至った。  
【００１１】
また、特許文献３および４に開示されているように、使用済みインクカートリッジを加圧してインクを再充填する場合、以下のような問題点があった。すなわち、手動式のため、操作者の加圧状態が過度になる場合や、インクカートリッジ内のインク収容速度よりもインク供給速度が速くなりすぎる場合があって、インク充填口からインクが溢れたりすることがある。特に、その作業性から充填される量や速度変化しやすく、インクタンクの開穴（充填口やインク供給口あるいは、大気連通孔）からインクが溢れ出すことも多い。圧力をかけるため、インク充填容器とインクカートリッジの再充填孔との密接が不良の場合には、加圧状態でインクがインク充填孔から噴出すという不都合が生じることがあった。
【００１２】
また、特許文献５に開示されているように、インクカートリッジに減圧下でインクを充填する場合にも、以下のような問題点があった。インク吐出口にインクのメニスカスが正常に形成されている場合であっても、インク充填をユーザーが行う場合は手動式であるため、インクの注入口に不具合やインク注入口の接合不良があるとインクカートリッジ内にインクの泡が充満したり、減圧部からその泡が漏れたりすることがある。また、形成された泡がインクカートリッジ内に残り印刷時のインクかすれを引き起こすという問題が生じることがあった。
【００１３】
本考案の目的は、上述したように、インクカートリッジを構成するインク室がインク室と区分されてインク室内中にインク吸収材が充填された気液交換室を備えたインクカートリッジに、例えばインク残検用のプリズムを設けてインク容器内のインク残量を管理する場合、釣鐘状インクが形成するという問題を解決でき気液分離室の機能やプリズムの機能を損なわないインクカートリッジを提供することにある。
【００１４】
また、本考案はさらに、上記の目的に付随して、圧力をかけないとインク充填できない区分室を備えたインクカートリッジにインクを再充填する場合、インクが溢れるという問題を解決でき、インクの再充填時のインク漏れや溢れをも解決できる新規なインクカートリッジ及び該使用済みインクカートリッジにインクを再充填できるインクカートリッジを提供することにある。
【００１５】
この目的は、実用新案登録請求の範囲における独立項に記載の特徴の組み合わせにより達成される。また従属項は本考案の更なる有利な具体例を規定する。特に本考案は、インクカートリッジ内にインクを収納するインク室と、インク室とは区分されてインク吸収材が充填された気液交換室をインク室内中に備え、さらに気液交換室の底部開口部の近傍に例えばインク残検用のプリズムを設けた場合、インクが消費されてインク室内のインク量が低下すると気液交換室の底部開口部とプリズムとの間に釣鐘状インクが形成され、そして気液交換室に充填されているインク吸収材がこの形成された釣鐘状インクを吸収してさらに釣鐘状インクを形成保持するというメカニズムを見出したことによりなされた考案である。
【課題を解決するための手段】
【００１６】
即ち、本考案の第１の考案は、大気連通孔と、インクを収納するインク室と、インク供給口を備えており前記インク室と区分されてインク吸収材が充填された気液交換室を備えたインクカートリッジであって、前記気液交換室の底部開口部に対して近接する部材が前記底部開口部との間にインクの表面張力でインクが釣鐘状に引き上げられる釣鐘状インクが形成されない距離に位置することを特徴とするインクカートリッジである。
【００１７】
本考案の第２の考案は、第１の考案に記載の前記近接する部材がインク残量を検知するプリズムであることを特徴とするインクカートリッジである。
【００１８】
本考案の第３の考案は、第１の考案に記載の前記近接する部材がインク室底面又はインク室側壁であることを特徴とするインクカートリッジである。
【００１９】
本考案の第４の考案は、第１の考案または第２の考案に前記近接する部材が区画室壁であることを特徴とする記載のインクカートリッジである。
【００２０】
本考案の第５の考案は、第１の考案ないし第４の考案のいずれかに記載の前記インクカートリッジが前記インク室と区分されたインクを収容する区分室をさらに備えていることを特徴とするインクカートリッジである。
【考案の効果】
【００２１】
本考案の第１の考案であるインクカートリッジは、大気連通孔と、インクを収納するインク室と、インク供給口を備えており前記インク室と区分されてインク吸収材が充填された気液交換室を備えたインクカートリッジであって、前記気液交換室の底部開口部に対して近接する部材が前記底部開口部との間にインクの表面張力でインクが釣鐘状に引き上げられる釣鐘状インクが形成されない距離に位置する構成としている。上述したように、気液交換室の底部開口部の近傍に例えばインク残検用のプリズムを設けた場合は、インクが消費されてインク室内のインク量が低下すると気液交換室の底部開口部とプリズムとの間にインクの表面張力でインクが釣鐘状に引き上げられる釣鐘状インクが形成され、そして気液交換室に充填されているインク吸収材がこの形成された釣鐘状インクを吸収してさらに釣鐘状インクを形成保持すというメカニズムがインク残量検知の機能を阻害し、インク残量検知の誤動作を招くという問題に対し、本考案では、前記気液交換室の底部開口部から、例えばプリズムなどの近接する部材を釣鐘状インクが形成されない距離に位置する構成としているのでインク残量検知機能が正常に働くことができるという効果を奏する。また、前記気液交換室も前記釣鐘状インクに影響されることなくインクを吸収保持するとともにインクの消費に伴う気液交換を正常に機能させることができるという効果を奏する。
【００２２】
本考案の第２の考案ないし第４の考案であるインクカートリッジは、第１の考案に記載の前記近接する部材が、インク残量を検知するプリズム、インク室底面、インク室側壁及び区画室壁のいずれかであって、これらの前記近接する部材を前記インクカートリッジを構成する前記気液交換室の底部開口部に対して近接する部材が前記底部開口部との間にインクの表面張力でインクが釣鐘状に引き上げられる釣鐘状インクが形成されない距離に位置する構成としている。そのため、上述したように、前記気液交換室の底部開口部と前記近接する部材との間にインクの表面張力でインクが釣鐘状に引き上げられる釣鐘状インクが形成されることがない。したがって、したがって気液交換室と前記近接する部材の夫々の機能が阻害されることがなく正常に機能させることができるという効果を奏する。
【００２３】
本考案の第５の考案であるインクカートリッジは、第１の考案ないし第４の考案に記載のインクカートリッジであって、前記インクカートリッジが前記インク室と区分されたインクを収容する区分室をさらに備えている構成としている。インクカートリッジに前記インク室と区分されたインクを収容する区分室を設けた場合、インク吸収体などの負圧発生材に付随して前記区分室がインク室内の負圧バランスに寄与するという効果を生じる。その結果一定の容積のインクカートリッジ内において、インク吸収材の充填量を少なくできるので、その分インクを多く収納できるという効果を奏することができる。
【００２４】
前記区分室を備えたカートリッジの場合、印刷によってインクが空になったインクカートリッジにインクを再充填しようとすると、これまでは圧力をかけないとインクの再充填ができなかったが、本考案のカートリッジは、上記の効果に付随して、加圧充填時に生じるインク漏れや溢れを起こすことなくユーザーが常圧下で容易にインクの再充填ができるという効果を奏する。
【図面の簡単な説明】
【００２５】
【図１】本考案の実施態様例を示す模式図である。
【図２】本考案の実施態様例を示す模式図である。
【図３】本考案のインク充填方法を示す模式図である。
【図４】本考案の他の実施態様例を示す模式図である。
【図５】本考案の実施態様を説明する参考模式図
【図６】本考案の実施態様を説明する参考模式図
【図７】本考案の実施態様を説明する参考模式図
【図８】本考案の実施態様を説明する参考模式図
【考案を実施するための形態】
【００２６】
（本考案の実施の態様例）
以下、本考案のインクカートリッジについて図１〜図８を参照して説明するが、本考案はこの事例に限られるものではない。本考案のインクカートリッジ１は、大気連通孔２と、インクを収納するインク室４と、インク供給口３を備えており前記インク室４と区分されてインク吸収材が充填された気液交換室８を備えたインクカートリッジ１であって、インクカートリッジ１を構成する前記気液交換室８の底部開口部１３に対して近接する部材２１が前記底部開口部１３との間にインクの表面張力でインクが釣鐘状に引き上げられる釣鐘状インク２５が形成されない距離に位置する構成としている。つまり、前記気液交換室の底部開口部に対して近接する部材が前記底部開口部との間にインクの表面張力でインクが釣鐘状に引き上げられる釣鐘状インク２５が形成されない距離に位置する関係を満足している。
【００２７】
さらに詳しくは、本考案のインクカートリッジ１は、大気連通孔２が気液分離室１２と連通し、前記気液分離室１２内の連通口９が大気連通路１０を通じてインク室４内に設けた気液交換室８内の上部開口部１１と連通している。そして、前記気液交換室８は、上部に空間７を形成してインク吸収材６が前記気液交換室８の底部から上方まで充填されてリブ２２で固定されている。また、前記気液交換室８は、インク室４内のインクの消費に伴って大気連通孔２から導入される空気がインク室４内のインクと気液交換されてインク室４内の負圧を維持できる底部開口１３を底部に有しており、また、前記気液交換８内に充填された前記インク吸収材６はインク室４内のインクを吸収保持するとともにインク室４内の負圧を維持する機能も有している。また、本考案のインクカートリッジ１は、前記の構成とともに、インク室４内の底部に、近接する部材としてのインク室４内のインク量を検出するためのプリズム２１が備えられている。
【００２８】
前記近接する部材としてのインク室４内のインク量を検出するためのプリズム２１は、前記気液交換室８の前記底部開口部１３に対して近接する部材が前記底部開口部との間にインクの表面張力でインクが釣鐘状に引き上げられる釣鐘状インク２５が形成されない距離に位置する構成としている。前記近接する部材２１としては、インク残量を検知するプリズム、インク室底面、インク室側壁及び区画室壁のいずれかであるが、前記気液交換室８の底部開口部１３に対して近接する部材２１が前記底部開口部１３との間にインクの表面張力でインクが釣鐘状に引き上げられる前記釣鐘状インク２５が形成されない距離としては、インクが染料系の場合は少なくとも３〜４ｍｍの範囲に位置することが好ましい。また、インクが顔料系の場合は少なくとも５〜７ｍｍの範囲に位置することが好ましい。前記した、前記気液交換室８の底部開口部１３から前記近接する部材２１を前記釣鐘状インク２５が形成されない距離は好ましい目安であって、これに限定されることなく、インクカートリッジの設計に当たっては釣鐘状インク２５が形成されないことを確認試験することがより好ましい。また、前記した距離のみならず、インクカートリッジを構成する部材の表面と使用するインクとの表面エネルギー準位を勘案して設計することができる。またインク容器４内のインク残量が一定量に到達したときのインク残量を検知するには、インク室４内の底壁からプリズム２１面までの距離を任意に設定することにより行うことができる。  
【００２９】
本実施の態様例では、インク室４内の底壁からプリズム２１面までの距離は、後述する区分室５内が前記インク室４からのインク供給を受けて前記インク供給口３にインク供給可能な状態を維持している正常状態にあるうちに、前記インクカートリッジ１のインク消費を実質的に禁止するできるインクレベルに設定されている。このような設定をすることにより、インクのリフィルを促し前記インクカートリッジ１の使用済み状態を確実に確保し、加圧充填のみで充填される前記区分室５内へのインク再充填を行わずに、インク室４内へ大気圧下で容易にインクを再充填することができるようにしている。前記正常状態にあるうちにとは、前記区分室５内にインクがフルに充填されている状態がより望ましいが、空気が多少含まれていても本考案のカートリッジ１は後述するように常圧下でユーザーが容易に再充填することができ、また、再充填後のインクカートリッジ１の印刷に何ら支障を生じない状態をいう。そして前記区分室５内へ空気が多少含まれた状態とは、本考案において約容積が４ｍｌ前記区分室５を備えた場合は、その空気の含有量が約１ｍｌまで含まれていても再充填後のインクカートリッジ１の印刷に支障を起こさない状態をいう。
【００３０】
また、本考案のインクカートリッジ１は、さらに、インクカートリッジ１の底部に設けられた前記インク供給口３に当接する区分室５が前記インク室４内に設けられ、また前記区分室５内にはインクが一方向に通過することができるインク通過弁１４が備えられている。また、前記区分室５内にはインクを吸収保持するインク吸収材を充填することができる。上記のように構成されインクが初期充填された前記インクカートリッジ１は、印刷装置に装着されて印刷が行われる。前記インクカートリッジ１の前記インク室４に充填されているインクの消費に伴って、前記大気連通孔２から流入した空気は、気液分離室１２、大気連通路１０、上部開口部１１、前記インク吸収材６を経由して前記気液交換室８の前記底部開口部１３から前記インク室４に流入して気液交換が行われ前記インクカートリッジ１内の負圧を良好に維持する構成となっている。
【００３１】
また、インク室４内のインクは、インク室４内の底部に設けられたインク吸引口（図示せず）からインク通過弁１４、区分室５を経由してインク供給口３から印刷装置の記録ヘッド（図示せず）に供給される構成となっている。このようにしてインクカートリッジ１内のインク室４に貯留されているインクが連続的に消費され印刷が行われる。また、上述した本考案のインクカートリッジ１は、インクカートリッジ１内の流路抵抗が大気連通路２からインク供給口３に向かって高くなるように負圧が構成されている。
【００３２】
本考案のインクカートリッジ１は、上述のようにしてインクが消費されるが、図１に図示するように、前記インク室４内のインクレベルがプリズム２１（近接部材）の上部以上にインクが残存している状態のときは、上述したように気液交換室８の低部開口部１３において気液交換がされ気液交換空気２７がインク室に流入されていることが確認できる。そして図２に図示するように、前記インク室４内のインクレベルがＬ１に到達すると、即ち、前記インク室４内に設けたプリズム２１に到達すると、本実施態様では、印刷装置に設けた発光部からの光が前記インク室４内に設けたプリズム２１を通じて前記印刷装置の受光部に屈折されてインク室４内のインク減少を検知し、そして、そのインク減少検知に基づき、「インクが少なくなりました早めのリフィルをお勧めします。自動停止後は、リフィル操作が難しくなる場合があります。」などの表示をパソコンのモニターを通じて表示したり、または音声などによりユーザーに知らせるなどして、前記区分室５内が前記インク室４からのインク供給を受けて前記インク供給口３にインク供給可能な状態を維持している正常状態にあるうちに、インクのリフィルを促し前記インクカートリッジ１のインク消費を実質的に禁止するようにして、前記インクカートリッジ１の使用済み状態を確実に確保し、加圧充填のみで充填される前記区分室５内へのインク再充填を行わずに、インク室４内へ大気圧下で容易にインクを再充填することができるようにしている。
【００３３】
前記気液交換室の底部開口部に対して近接する部材が前記底部開口部との間にインクの表面張力でインクが釣鐘状に引き上げられる釣鐘状インクが形成されない距離に位置する  
上述した構成は、本考案のインクカートリッジ１が、インクカートリッジ１を構成する前記気液交換室８の前記底部開口部１３、に対して前記近接する部材２１が前記底部開口部１３との間にインクの表面張力でインクが釣鐘状に引き上げられる釣鐘状インク２５が形成されない距離に位置する構成とした実施態様であるが、以下に、図５〜図８を参照して本考案の実施態様を補完説明する。即ち、前記近接する部材２１を前記気液交換室８の前記底部開口部１３に近接して構成した場合の釣鐘状インク２５の形成現象を説明し、本考案の構成を検証する。
【００３４】
まず、図５に図示するように、前記気液交換室８の底部開口部１３において気液交換空気２７がインク室に流入されて気液交換が行われながらインクが消費され、前記インク室４内のインクレベルがプリズム２１の上部付近に到達すると、即ち、前記気液交換室８の底部開口部１３と前記インク室４内のインク液位面との間に隙間２８が生じると、前記気液交換室８の底部開口部１３とプリズム２１（近接部材）との間において釣鐘状インク２５が形成される。次に、図６に図示するように、さらにインクレベルが低下しインクレベルがＬ１に到達した状態では、前記気液交換室８の底部開口部１３において気液交換がされている様子が確認されない状態、即ち前記隙間２８がさらに広がった状態において、形成された前記釣鐘状インク２５がさらに大きくなる。前記インクレベルがＬ１に到達した状態においては、前記プリズム２１の本来の機能は、印刷装置に設けた発光部からの光が前記インク室４内に設けたプリズム２１を通じて前記印刷装置の受光部に屈折されてインク室４内のインク減少（少なくなった）状態を検知できる状態であるが、プリズム２１の表面に形成された釣鐘状インク２５が存在するため、プリズム２１の本来の機能が発現されず、インク室４内のインクレベルが一定レベルに低下していないと誤検知した状態となっている。即ち、インク残量がなくなったことを検知することができない状態になっている。
【００３５】
そして、図７に図示するように、さらにインクレベルが低下しインクレベルがＬ１より低い状態になると、形成された前記釣鐘状インク２５はさらに大きくなる。この状態においても上述したように、本来なら、インク容器内のインクレベルは前記プリズム２１によってインク残量がなくなったことを検知できる状態であるが、プリズムの表面と前記気液交換室８の底部開口部１３との間に形成されている前記釣鐘状インク２５によって前記プリズム２１の検知機能が阻害された状態となっているため、インク残量がなくなったことを検知することができない状態である。
【００３６】
そして、図８に図示するように、前記インク容器４内のインクレベルがさらに下がると、前記気液交換室８内に充填されている前記インク吸収材６の負圧力により、形成された前記釣鐘状インク２５のインクとともにインク容器の底部に残存するインクをも吸収し、前記気液交換室８内に釣鐘状インク吸収物２６を保持することになる。そうすると、前記プリズム２１の表面にはインクがなくなるので正常に機能するが、インク容器内にはインクが全くなくなった状態，即ち、インクレベルＬ１をはるかに超えた状態になり、あらかじめ設定したインク残量レベルＬ１の位置のインク量を検知することができない。
【００３７】
上述したように、本考案のインクカートリッジ１は、大気連通孔２と、インクを収納するインク室４と、インク供給口３を備えており前記インク室４と区分されてインク吸収材６が充填された気液交換室８を備えたインクカートリッジであって、インクカートリッジ１を構成する前記気液交換室８の底部開口部１３対して近接する部材２１が前記底部開口部１３との間にインクの表面張力でインクが釣鐘状に引き上げられる釣鐘状インク２５が形成されない距離に位置する構成としている。しかし、上記本考案の検証で説明したように、前記気液交換室８の前記底部開口部１３の近傍に例えばインク残検用のプリズム２１を設けた場合は、インクが消費されて前記インク室４内のインク量が低下すると前記気液交換室８の底部と前記プリズム２１との間に釣鐘状インク２５が形成され、そして前記気液交換室８に充填されているインク吸収材６が形成された釣鐘状インク２５を吸収してさらに釣鐘状インク２５を形成保持すというメカニズムがインク残量検知の機能を阻害し、インク残量検知の誤動作を招くという問題に対し、本考案では、前記気液交換室８の前記底部開口部１３に対して、例えばプリズムなどの近接する部材２１を前記釣鐘状インク２５が形成されない距離に位置する構成としているのでインク残量検知機能が正常に働くことができるという効果を奏する。また、前記気液交換室も前記釣鐘状インク２５に影響されることなくインクを吸収保持するとともにインクの消費に伴う気液交換を正常に機能させることができるという効果を奏する。
【００３８】
上記実施の態様例では、前記近接する部材２１として、インク残量を検知するプリズムを設けた構成について説明したが、前記近接する部材２１がインク室底面、インク室側壁及び区画室壁のいずれであっても、前記近接する部材２１を前記気液交換室８の底部開口部１３に近接して構成した場合は、上記したように釣鐘状インクが形成されるので、前記近接する部材２１は、前記インクカートリッジ１を構成する前記気液交換室８の前記底部開口部１３に対して釣鐘状インク２５が形成されない距離に位置する構成とすることが肝要である。そしこのような構成とすることにより、前記気液交換室８の前記底部開口部１３に対して前記近接する部材２１が前記底部開口部１３との間にインクの表面張力でインクが釣鐘状に引き上げられる釣鐘状インク２５が形成されることがない。したがって、したがって前記気液交換室８と前記近接する部材２１の夫々の機能が阻害されることがなく正常に機能させることができるという効果を奏する。
【００３９】
次に、上述した本考案のインクカートリッジ１のインク再充填方法について図３を参照して以下に説明する。前記区分室５内にインクが充填された状態の使用済みインクカートリッジ１の前記大気連通孔２を大気連通孔キャップ１７で密栓し、前記インクカートリッジ１を前記インク供給口３が上部になるように配置し、インク再充填口キャップ１６を取り外し、インク再充填口１８を開口する。そして注射器やインク注入ノズルが設けられたインクボトル１９により常圧下でインクを注入し、前記インク再充填口１８が前記インク再充填口キャップ１６で密栓し、前記インクカートリッジ１へのインク再充填（リフィル）が終了する。
【００４０】
上述のように、本考案のインクカートリッジ１は、初期充填インクが加圧充填のみで充填される前記区分室５内に収納されているインク量が大きく減少する前（前記区分室５内多少の空気が含まれてもよい）に、前記インクカートリッジ１のインク消費を実質的に禁止することにより、インクカートリッジ１の使用済み状態を確実に確保でき、加圧充填のみで充填される前記区分室５内へのインク再充填を行わずに、インク室４内へ大気圧下で容易にインクを再充填することができるという上記の効果に付随して、加圧充填時に生じるインク漏れや溢れを起こすことなくユーザーが常圧下で容易にインクの再充填ができるという効果を奏する。さらに、これによって、インク再充填時に区分室５内への加圧再充填の問題を解決でき、インク漏れやインク供給不足による印刷不良も防止できる。  
【００４１】
上述したように、本考案の区分室を備えたインクカートリッジの場合、印刷によってインクが空になったインクカートリッジにインクを再充填しようとすると、これまでは圧力をかけないとインクの再充填ができなかったが、本考案のインクカートリッジは、加圧充填時に生じるインク漏れや溢れを起こすことなくユーザーが常圧下で容易にインクの再充填ができるという効果を奏する。
【００４２】
次に、本考案の他の実施の態様例について図４を参照して以下に説明する。図４に図示するように、本他の実施の態様例では、前記気液交換室８の構造が階段状に構成されて、前記インク室４内にスペース部２９を設け、そしてその下部に近接する部材としてのプリズム２１を設けて、前記気液交換室８の前記底部開口部１３対してプリズム２１が前記底部開口部１３との間にインクの表面張力でインクが釣鐘状に引き上げられる釣鐘状インク２５が形成されない距離に位置する構成とした本態様例を示したものものであって、さらに、前記実施の態様例で説明した構成に加えて、前記インク室４が小室に区分され上部が開口されたインク室４ａと前記区分室５が複数で構成された区分室５ａ、５ｂ、５ｃを備え、前記インク室４ａのインクを前記インク室４に流出させるためのインク戻り流路２３を備えた構成としている。そしてインク通過弁１４が区分室５ａに備えた構成となっている。この場合のインク吐出口３へのインクの流入順位は、前記インク室４内のインクがインク吸引口２４を通じて前記区画室５ａに設けた前記インク通過弁１４から前記区画室５ａ、５ｂ、５ｃを経由してインク供給口３から印刷装置の記録ヘッド（不示せず）に供給される構成となっている。そして上部が開口された前記インク室４ａ内のインクは前記インク戻り流路２３により前記インク室４のインクレベルが前記インク室４ａの底部より減少すると前記インク戻り流路２３を通じて前記インク収容室４に流入されて前記インク供給口３から印刷装置の記録ヘッド（不示せず）に供給される構成となっている。
【００４３】
また、前記インク通過弁１４が設けられた前記区画室５ａ、および前記区画室５ｂ、５ｃは前記インク収容室４に比べて容積は小さい構成としている。次に前記インク通過弁１４の内部構成について説明する。（図示せず）」前記区画室５ａに設けた前記インク通過弁１４は、弁を構成する台座表面に微細凹凸が形成されており、弁膜を弁座に当接密着固定することにより前記微細凹凸と弁膜との間で形成される微細孔が一方向に通過するインクの流路抵抗を構成した微細口形成部を有している。前記台座表面の微細凹凸は７５ミクロン〜１００ミクロンの範囲で形成することができる。また、前記弁膜は、弾性部材で形成された円状の膜であって中央に止めピン挿入用の穴が形成されている。前記弁膜の固定は、弁を構成する前記台座の内側に構成された樹脂製の止めピンに前記弁膜の穴を通して、前記止めピンの先端を溶着し前記台座に当接密着固定して前記インク通過弁１４が構成されている。したがって、前記区画室５ａは、前記インク室４に対して区分され、インクを前記インク室４に初期充填する際には，前記区画室５ａ内に最終的に充填するためには加圧充填しないと充填できないほどの規制力を前記微細孔形成部が発揮する。本態様例ではこのような構成を適宜構成することができる。
【００４４】
また、本考案のインクカートリッジ１のインクの流路抵抗は、前記インク供給口３に向かって高くなるように負圧が構成されている。このように構成された前記インクカートリッジ１内の前記インク室４に貯留されているインクが連続的に消費されて印刷が行われ、図４に図示するようにインクレベルがＬ２に到達すると、即ち、前記インク室４内に設けた近接する部材としてのプリズム２１に到達すると、上述したように、印刷装置に設けた発光部からの光が前記インク室４内に設けた前記プリズム２１を通じて前記印刷装置の受光部に屈折されて前記インク室４内のインク減少を検知し、そして、そのインク減少検知に基づき、「インクが少なくなりました早めのリフィルをお勧めします。自動停止後は、リフィル操作が難しくなる場合があります。」などの表示をパソコンのモニターを通じて表示したり、または音声などによりユーザーに知らせるなどして、前記区分室５ａ、５ｂ、５ｃ内が前記インク室４からのインク供給を受けて前記インク供給口３にインク供給可能な状態を維持している正常状態にあるうちに、インクのリフィルを促し前記インクカートリッジ１のインク消費を実質的に禁止するようにして、前記インクカートリッジ１の使用済み状態を確実に確保し、加圧充填のみで充填される前記区分室５内へのインク再充填を行わずに、前記インク室４内へ大気圧下で容易にインクを再充填することができるようにしている。
【００４５】
本考案におけるインクの消費を実質的に禁止するとは、この事例に限られるものではなく、再充填時期を指示する指示書や電気的あるいは機械的に交換時期を外部（プリンタやユーザー等）に報知する手段やその交換時期に相当する情報（データや信号等）を保持し、外部からのアクセスによって結果的に禁止できるものすべてを含む。
【００４６】
上述のようにして、前記区分室５内にインク充填された状態のインクカートリッジ１へのインク再充填（リフィル）方法は、図３を参照して前述したように、本他の実施の態様例のインクカートリッジ１も加圧充填のみで充填される前記区分室５内へのインク再充填を行わずに、前記インク室４内へ大気圧下で容易にインクを再充填することができる。まず、前記インクカートリッジ１の前記大気連通孔２を大気連通孔キャップ１７で密栓し、前記インクカートリッジ１を前記インク供給口３が上部になるように配置し、インク再充填口キャップ１６を取り外し、インク再充填口１８を開口する。そして注射器やインク注入ノズルが設けられたインクボトル１９により常圧下でインクを注入し、インク再充填口１８をインク再充填口キャップ１６で密栓し、前記インクカートリッジ１へのインク再充填（リフィル）が終了する。
【００４７】
上述のように、本考案のインクカートリッジ１は、初期充填インクが加圧充填のみで充填される前記区分室５内に収納されているインク量が減少する前に、前記インクカートリッジ１のインク消費を実質的に禁止できるので、インクカートリッジ１の使用済み状態を確実に確保でき、加圧充填のみで充填される前記区分室５内へのインク再充填を行わずに、インク室４内へ大気圧下で容易にインクを再充填することが可能となる。これによって、インク再充填時に区分室５内への加圧再充填の問題を解決でき、インク漏れやインク供給不足による印刷不良も防止できる。  
【００４８】
また、図４に図示するように、本考案のインクカートリッジ１は、大気連通孔２が気液分離室１２と連通し、前記気液分離室１２内の連通口９が大気連通路１０を通じてインク室４内に設けた気液交換室８内の上部開口部１１と連通され、そして、前記気液交換室８は、上部に空間７を形成してインク吸収材６が前記気液交換室８の底部から上方まで充填されてリブ２２で固定されている。また、前記インク吸収材６は前記気液交換室８内で圧力分布を構成するように充填することができる。前記インク吸収材６の圧力分布は、前記気液交換室８内の上部に密度の高いインク吸収材を底部に上部よりも密度が低いインク吸収材を充填することにより構成することができる。また、前記インク吸収材６の圧力分布は、インクの種類により適宜調整することができ、その目安として、例えばインクの種類が染料系の場合、前記インク吸収材の上部と底部との充填割合はインク吸収材全充填高さに対し、１対１の割合にすることが好ましい。また、インクの種類が顔料系の場合、前記インク吸収材の上部と底部との充填割合（上部対底部比）は１対３の割合にすることが好ましい。このような構成とすることにより、前記インク吸収材６が充填された前記気液交換室８は、後述するように急激な温度変化に起因して生じたインカートリッジ１内の上昇圧力を前記インク室４内のインクと共に前記気液交換室８に即移動し前記上昇圧力を前記インク吸収材６上部の空間７に瞬時に開放させ、定常時の負圧状態に即回復させる機能を有している。
【００４９】
また、前記気液交換室８は、インク室４内のインクの消費に伴って大気連通孔２から導入される空気がインク室４内のインクと気液交換されてインク室４内の負圧を維持できる底部開口１３を底部に有しており、さらに、前記気液交換室８内に充填された前記インク吸収材６はインク室４内のインクを吸収保持するとともにインク室４内の負圧を維持する機能も有している。また、前記区分室５内にはインクを吸収保持するインク吸収材を充填することができる。
【００５０】
上記のように構成されインクが初期充填されたインクカートリッジ１は、印刷装置に装着されて印刷が行われる。前記インクカートリッジ１の前記インク室４に充填されているインクの消費に伴って、前記大気連通孔２から流入した空気は、前記気液分離室１２、前記大気連通路１０、前記上部開口部１１、前記インク吸収材６を経由して前記気液交換室８の前記底部開口部１３から前記インク室４に流入して気液交換が行われ前記インクカートリッジ１内の負圧を良好に維持する構成となっている。また、前記インク室４内のインクは、前記インク室４内の底部に設けられたインク吸引口（図示せず）から前記インク通過弁１４、前記区分室５を経由して前記インク供給口３から印刷装置の記録ヘッド（図示せず）に供給される構成となっている。このようにして前記インクカートリッジ１内の前記インク室４に貯留されているインクが連続的に消費され印刷が行われる。また、上述した本考案のインクカートリッジ１は、前記インクカートリッジ１内の流路抵抗が前記大気連通路２から前記インク供給口３に向かって高くなるように負圧が構成されている。
【００５１】
また、本考案のインクカートリッジ１は、急激な温度変化に起因してインク室４内の圧力が上昇した場合であっても、前記気液交換室８の底部に設けた底部開口部１３の流路抵抗がインク吸引口２４に対する流路抵抗より小さいので前記インク供給口３に影響することなく、前記気液交換室８底部に設けた前記底部開口部１３を介してインク吸収材６に即インクが吸収移動し、瞬時に空間７に圧力開放されて前記上昇圧力が定常時の負圧状態に即回復される構成となっている。したがって、本考案のインクカートリッジ１は、前記インカートリッジ１内の前記上昇圧力に対して即反応して前記上昇圧力を開放し、インク供給口３や大気連通孔２からのインク漏れを防止することができるという効果を兼ね備えている。また、仮に前記インカートリッジ１内の上昇圧力があまりにも大きく前記気液交換室８の空間７に開放された空気がインクを含んで大気連通孔２へ流出する場合があっても前記気液分離室１２内でインクと空気を分離し空気のみを大気連通孔２に逃がすことができる構成となっている。
【００５２】
また、前記気液交換室８は、前記インク供給口３から離れたインク室４内に配置され前記気液交換室８の上部は、前記インク室４内の上部と当接密閉されている。また、前記気液交換室８内に形成される空間７の容積は、圧力変化によって前記気液交換室８に移動するインク量は圧力変化に見合うインク量だけでなくインクの移動に伴う慣性が働くため、前記インク室４内のインク充填量が１０ｍｌの場合は１．０ｍｌ〜１．５ｍｌとすることが好ましい。
【００５３】
また、本考案のインクカートリッジ１は、インク消費に関わるインク残量情報を書き換え可能に保持する情報記憶媒体２０を備えており、これによりリセットが可能である構成としている。このように、インク残量情報を書き換え可能に保持する情報記憶媒体２０を備えたことによって、使用済みになった前記インクカートリッジ１にインクを再充填して再使用することができる。
【００５４】
上述したように、本考案のインクカートリッジは、大気連通孔と、インクを収納するインク室と、インク供給口を備えており前記インク室と区分されてインク吸収材が充填された気液交換室を備えたインクカートリッジであって、インクカートリッジを構成する前記気液交換室の底部開口部に対して近接する部材が前記底部開口部との間にインクの表面張力でインクが釣鐘状に引き上げられる釣鐘状インクが形成されない距離に位置する構成としている。したがって、気液交換室の底部開口部の近傍に例えばインク残検用のプリズムを設けた場合は、インクが消費されてインク室内のインク量が低下すると気液交換室の底部開口部とプリズムとの間に釣鐘状インクが形成され、そして気液交換室に充填されているインク吸収材が形成された釣鐘状インクを吸収してさらに釣鐘状インクを形成保持すというメカニズムがインク残量検知の機能を阻害し、インク残量検知の誤動作を招くという問題を解消し、例えば近接する部材としてのプリズムによるインク残量検知機能が正常に働くことができるという効果を奏する。また、気液交換室も前記釣鐘状インクに影響されることなくインクを吸収保持するとともにインクの消費に伴う気液交換を正常に機能させることができるという効果を奏する。即ち、気液交換室の底部開口部に対して近接する部材が前記底部開口部との間にインクの表面張力でインクが釣鐘状に引き上げられる釣鐘状インクが形成されることがないので、気液交換室と近接する部材例えばプリズムの夫々の機能が阻害されることがなく正常に機能させることができるという効果を奏する。
【００５５】
本考案のインクカートリッジは、インク室と区分されたインクを収容する区分室をさらに備えている構成とすることができる。インクカートリッジにインク室と区分されたインクを収容する区分室を設けた場合、インク吸収体などの負圧発生材に付随して区分室がインク室内の負圧バランスに寄与するという効果を生じる。その結果一定の容積のインクカートリッジ内において、インク吸収材の充填量を少なくできるので、その分インクを多く収納できるという効果を奏することができる。
【００５６】
また、区分室を備えたカートリッジの場合、印刷によってインクが空になったインクカートリッジにインクを再充填しようとすると、これまでは圧力をかけないとインクの再充填ができなかったが、本考案のカートリッジは、加圧充填時に生じるインク漏れや溢れを起こすことなくユーザーが常圧下で容易にインクの再充填ができるという効果を兼ね備えている。
【００５７】
また本考案のインクカートリッジは、上述したように、インク吸収材が充填された気液交換室は、急激な温度変化に起因して生じたインカートリッジ内の上昇圧力をインク室内のインクと共に気液交換室に即移動し、上昇圧力をインク吸収材上部の空間に瞬時に開放させ、定常時の負圧状態に即回復させる機能を兼ね備えている。
【産業上の利用可能性】
【００５８】
本考案のインクカートリッジは、液体インクを消費する印刷装置に使用されるものであれば、インクの種類に関係なく種々のインクカートリッジに適用することができる。
【符号の説明】
【００５９】
１  インクカートリッジ
２  大気連通孔
３  インク供給口
４  インク室（４ａ）
５  区分室（５ａ〜５ｃ）
６  インク吸収材
７  空間
８  気液交換室
９  連通口
１０  大気連通路
１１  上部開口部
１２  気液分離室
１３  底部開口部
１４  インク通過弁
１５  発光部／受光部
１６  インク再充填口キャップ
１７  大気連通孔キャップ
１８  インク再充填口
１９  インクボトル
２０  情報記憶媒体
２１  プリズム（近接する部材）
２２  リブ
２３  インク戻り流路
２４  インク吸引口
２５  釣鐘状インク
２６  釣鐘状インク吸収物
２７  気液交換空気
２８  隙間
２９  スペース部
【図１】
0003186069.tif 000003
【図２】
0003186069.tif 000004
【図３】
0003186069.tif 000005
【図４】
0003186069.tif 000006
【図５】
0003186069.tif 000007
【図６】
0003186069.tif 000008
【図７】
0003186069.tif 000009
【図８】
0003186069.tif 000010